(57)【要約】【課題】大臼歯の遠心移動を効率良く行うことが可能な歯列矯正具を提供する。【解決手段】唇頬側で歯列弓に沿って配置されるアーチワイヤ５と、そのアーチワイヤ５を歯列方向に移動可能な状態で歯に拘束するブラケット４とを備える。そして、両端部が互いに離れる方向にばね力を発揮するスプリングワイヤ６を使用し、その一端部を対象とする大臼歯Ｔ１に連結し且つ他端部を上記大臼歯Ｔ１よりも前側に位置する上記アーチワイヤ５の部分に連結した。【選択図】        図１
2005287742.tif 000002
【特許請求の範囲】
【請求項１】
唇頬側で歯列弓に沿って配置されるアーチワイヤと、そのアーチワイヤを歯列方向に移動可能な状態で歯に拘束するブラケットとを備え、大臼歯を遠心方向に移動させるための歯列矯正具において、
両端部が互いに離れる方向にばね力を発揮するスプリングワイヤを使用し、そのスプリングワイヤは、その一端部を大臼歯に連結し且つ他端部を上記大臼歯よりも前側に位置する上記アーチワイヤの部分に直接連結したことを特徴とする歯列矯正具。
【請求項２】
口蓋側の肉部に密着するベース部材と、両端部が互いに離れる方向にばね力を発揮する第２スプリングワイヤとを備え、その第２スプリングワイヤは上記ベース部材と大臼歯とを連結し、かつ、上記第２スプリングワイヤのばね力を発生するばね力発生部は、縦置きの配置となっていることを特徴とする請求項１に記載した歯列矯正具。
【請求項３】
上記第２スプリングワイヤの他端部は、着脱可能に大臼歯に連結されることを特徴とする請求項２に記載した歯列矯正具。
【発明の詳細な説明】
【技術分野】
【０００１】
本発明は、大臼歯を遠心移動させるための歯列矯正具に関する。
【背景技術】
【０００２】
大臼歯を遠心移動（奥歯側に移動）させる歯列矯正具としては、例えば図５に示す矯正具がある。この方式では、固定源となる歯５０と、遠心移動させたい大臼歯５１との間に、コイルスプリング５２を圧縮して取り付け、固定源となる歯５０に反力をとって上記大臼歯５１を遠心移動させる。
また、図６に示す歯列矯正具もある。この矯正具は、口蓋側の肉部に密着するプラスチック製のベース部材５３と、一端部をそのベース部材５３に連結し且つ他端部を遠心移動させたい大臼歯５１に連結する水平配置のスプリングワイヤ５４とからなる。符号５４ａは、ばね力発生部である。符号５５は上記ベース部材を他の歯に固定する固定用のワイヤである。この歯列矯正具では、ベース部材５３に反力をとってスプリングワイヤ５４のばね力によって上記大臼歯５１を遠心移動させる。
そして、数週間掛けて左右各１本の大臼歯５１の遠心移動が完了したら、その大臼歯５１よりも前の大臼歯について再度矯正具を取り付け直して遠心移動させる。
【発明の開示】
【発明が解決しようとする課題】
【０００３】
しかしながら、前者の歯列矯正具では、大臼歯５１を遠心移動させる際の反力によって、固定源となる歯５０を前方移動させることとなる。特に、この矯正具では、１本の歯５０だけを直接の固定源としているために、その負担が大きいという問題がある。このため、大臼歯５１に掛ける力がその分小さくなり、遠心移動が完了するまでの期間が長くなる。
【０００４】
また、後者の矯正具では、スプリングワイヤ５４が水平配置であることから、対象とする大臼歯５１に対し、遠心方向の力を掛ける際に、当該大臼歯５１に対し歯列方向内側に向かう力も掛かってしまうという問題がある。
また、上述のような大臼歯５１の遠心移動に使用される歯列矯正具は、数ヶ月も装着したままであり不衛生となるが、一般に、大臼歯５１の遠心移動のための歯列矯正具では着脱可能な機構となっていない。
本発明は、このような点に着目してなされたもので、大臼歯の遠心移動を効率良く行うことが可能な歯列矯正具を提供することを課題としている。
【課題を解決するための手段】
【０００５】
上記課題を解決するために、本発明のうち請求項１に記載した発明は、唇頬側で歯列弓に沿って配置されるアーチワイヤと、そのアーチワイヤを歯列方向に移動可能な状態で歯に拘束するブラケットとを備え、大臼歯を遠心方向に移動させるための歯列矯正具において、
両端部が互いに離れる方向にばね力を発揮するスプリングワイヤを使用し、そのスプリングワイヤは、その一端部を大臼歯に連結し且つ他端部を上記大臼歯よりも前側に位置する上記アーチワイヤの部分に直接連結したことを特徴とするものである。
【０００６】
ここで、上記スプリングワイヤとは、延在方向の１箇所若しくは２箇所以上の部位が、山形に屈曲成形されてばね力を発揮可能なばね力発生部となっているワイヤである。上記山形の頂部がコイル状となっている場合も．ある。
本発明によれば、スプリングワイヤの他端部をアーチワイヤに接続することで、大臼歯を遠心移動する際の固定源を複数の歯とすることが可能となり、固定源となる歯に対する負担を小さなものとすることが可能である。
【０００７】
次に、請求項２に記載した発明は、請求項１に記載した構成に対し、請求項１に対し、口蓋側の肉部に密着するベース部材と、両端部が互いに離れる方向にばね力を発揮する第２スプリングワイヤとを備え、その第２スプリングワイヤは上記ベース部材と大臼歯とを連結し、かつ、上記第２スプリングワイヤのばね力を発生するばね力発生部は、縦置きの配置となっていることを特徴とするものである。
【０００８】
本発明によれば、第２スプリングワイヤのばね力発生部が縦置きとなっていることから、バネ力は、略水平軸周りの力として両端部が開く方向に付勢される。これにより、対象とする大臼歯を遠心方向に移動させる際に、当該大臼歯に対し歯列の内方若しくは外方に向かう力が作用することを防止若しくは大幅に低減できる。
次に、請求項３に記載した発明は、請求項２に記載した構成に対し、上記第２スプリングワイヤの他端部は、着脱可能に大臼歯に連結されることを特徴とするものである。
着脱可能となることで、適宜外してクリーニングなどが可能となり衛生的となる。
【発明の効果】
【０００９】
本発明によれば、効率良く大臼歯を遠心方向に移動させることが可能となる。
【発明を実施するための最良の形態】
【００１０】
以下に、本発明の実施形態について図面を参照しつつ説明する。
図１は、本実施形態の歯列矯正具を上顎側に適用した場合の模式図である。  
本実施形態の歯列矯正具は、唇頬側の第１矯正具１と口蓋側の第２矯正具２との組合せからなる。なお、第１及び第２矯正具１，２は一緒に使用する方が治療期間を短くできるので好ましいが、第１若しくは第２矯正具１，２の一方だけを個別に使用しても良い。
【００１１】
第１矯正具１は、ブラケット３、アーチワイヤ５及び左右のスプリングワイヤ６を備える。
すなわち、各歯の頬側の歯面（外側の面）には、それぞれブラケット３が取り付けられている。各ブラケット３には、横方向に延びるワイヤ取付け部（スロット、チューブ等）が形成され、その各ワイヤ取付け部に対し、歯列弓に沿って延びるアーチワイヤ５が、延び方向に摺動可能な状態で取り付けられている。これによって、歯列弓方向に案内可能となっている。
【００１２】
そして、略山形のスプリングワイヤ６は、撓められた状態で、その一端部が移動対象となる大臼歯Ｔ１に連結され、その他端部が、その大臼歯Ｔ１より前の歯間に位置する上記アーチワイヤ５の部分（ブラケット３間）に直接連結されている。なお、本実施形態では、上記スプリングワイヤ６の他端部とアーチワイヤ５との連結は、図２のように、図７に示すような２つのかしめ部を有する薄板８をかしめることで連結している。薄板８を使用したかしめで連結することで、ろう付け等で連結する場合に比べて簡易に連結することができる。また、上記スプリングワイヤ６は頬側の肉に沿って配置されている。また、図８に示すような薄板９は、スプリングワイヤ６の他端部を同様にかしめることで連結しアーチワイヤ５を自由に通ることが出来る。符号７はオープンコイルスプリングである。
【００１３】
また、第２矯正具２は、ベース部材１０、左右の第２スプリングワイヤ１１、及び左右の固定用ワイヤ１２を備える。
なお、移動対象となる大臼歯Ｔ２、及びベース部材１０を固定する歯Ｔ３には、その歯Ｔ２，Ｔ３の外周を取り囲むようにしてバンド状の金属板が取り付けられている。
上記ベース部材１０は、歯列内に位置する、つまり口蓋側の肉部に密着可能なプラスチック製からなるパッド状の部材である。下顎側に取り付ける場合には舌と干渉しない大きさとなっている。
【００１４】
上記各第２スプリングワイヤ１１は、前端側１１ａが上記ベース部材１０に固定され且つ後端部１１ｂが上記大臼歯Ｔ２の金属板に連結している。そのスプリングワイヤ６の略中央部にはばね力を発生するばね力発生部１１ｃを有しそのばね発生部１１ｃを撓ませて取り付けることで、ベース部材１０に反力をとって大臼歯Ｔ２に遠心方向の力を加える。本実施形態では、左右の第２スプリングワイヤ１１は、左右対称に配置され、左右の前端部は一体となって上記ベース部材１０に固定されている。
【００１５】
また、上記第２スプリングワイヤ１１は、バネ力発生部分１１ｃが縦置きに配置されている。
また、上記各固定用ワイヤ１２の内端部は上記ベース部材１０に固定され且つ外端部１２ａは上記固定用の歯Ｔ３に連結されている。図１では、左右の固定用ワイヤ１２は、左右対称に配置され、左右の内端部は一体となっている。
【００１６】
ここで、口蓋側に配置するワイヤを少なくする目的で、図３に示すように、スプリングワイヤ６と固定用ワイヤ１２のベース部材１０側のワイヤ部分を合流させて、当該ベース部材１０への固定する部分を１本のワイヤとしても良い。このときにはベース部材１０も小さくすることが可能である。
また、第２スプリングワイヤ１１及び固定用ワイヤ１２と上記歯を囲む各金属板とは、当該金属板からワイヤを取り外し可能に連結されている。
その脱着可能な連結は、例えば、リンガルロック機構や、図４のような機構を採用すれば実現できる。
【００１７】
図４の機構を説明する。上記バンド状の金属板１４に対し軸を上下に向けた筒体１５が固着され、上記ワイヤ１６の端部に上記筒体１５に掛止させるロック部が形成されている。そのロック部は、ベース部材側から先端部に向けて屈曲成形されて形成され、先端側に向けて、立上り部１６ａ、上側水平部１６ｂ、立下がり部１６ｃ、下側水平部１６ｄと連続して屈曲形成され、上側水平部１６ｂ及び下側水平部１６ｄが筒体１５を挟んで上下に対向配置される。そして、上記上側水平部１６ｂにロウ着けされたピン１７が下方に延び、そのピン１７が上側から上記筒体１５内に差し込まれることで取り付けられる。
【００１８】
次に、上記歯列矯正具の作用・効果などについて説明する。
上記第１矯正具１にあっては、スプリングワイヤ６の端部をアーチワイヤ５に連結することで、その連結部よりも遠位にある数本の歯が固定源として作用することから、その分、大臼歯Ｔ１に加える力を大きくすることができて治療期間を短縮することができる。図１では、左右のスプリングワイヤ６のアーチワイヤ５への取付け点Ｐ間に位置する前側の４本の歯が固定源となる。また、左右にスプリングワイヤ６が配置されていることから、遠心移動させる際の反力は、取付け点Ｐ−Ｐ間のアーチワイヤ５部分で圧縮力としても負担するので、上記４本の歯に伝達される力はその分だけ小さい。
【００１９】
また、複数本の歯を固定源とすることから、大臼歯Ｔ１を遠心移動する際に各固定源となる歯に負荷される外力は小さくなり、その固定源となる歯の不要な変位を小さくすることができる。
さらに、上記第１矯正具１と共に第２矯正具２を使用することで同時期に複数の大臼歯を遠心移動させることができる。このとき、第２スプリングワイヤ１１のバネ力発生部１１ｃを縦置きつまり、略水平軸周りに回転する方向の力として大臼歯Ｔ２に入力される。このため、大臼歯Ｔ２には遠心移動する方向の力が掛かる際に、従来のような歯列の内側（口蓋側）若しくは外側（唇頬側）方向に向かう力が無いか小さくなり、効率よく大臼歯Ｔ２を歯列弓に沿って遠心移動させることが可能となる。
ここで、上記各図では、上顎側の大臼歯を対象とする図となっているが、下顎側の大臼歯に対しても適用可能である。また、他の矯正具と併用して使用しても構わない。
【図面の簡単な説明】
【００２０】
【図１】本発明に基づく実施形態に係る歯列矯正具を示す模式図である。
【図２】本発明に基づく実施形態に係るスプリングワイヤとアーチワイヤとの連結例を示す図である。
【図３】本発明に基づく実施形態に係る第２矯正具の別例を示す図である。
【図４】本発明に基づく実施形態に係るワイヤと金属板との取付け構造例を示す図である。
【図５】従来の矯正具の例を示す図である。
【図６】従来の矯正具の例を示す図である。
【図７】クリンパブルストップを示す図である。
【図８】クリンパブルチューブを示す図である。
【符号の説明】
【００２１】
１      第１矯正具
２      第２矯正具
４      ブラケット
５      アーチワイヤ
６      スプリングワイヤ
７      オープンコイルスプリング
８      薄板（クリンパブルストップ）
９      薄板（クリンパブルチューブ）
１０    ベース部材
１１    第２スプリングワイヤ
１１ｃ  ばね力発生部
１２    固定用ワイヤ
Ｔ１、Ｔ２  大臼歯
【図１】
2005287742.tif 000003
【図２】
2005287742.tif 000004
【図３】
2005287742.tif 000005
【図４】
2005287742.tif 000006
【図５】
2005287742.tif 000007
【図６】
2005287742.tif 000008
【図７】
2005287742.tif 000009
【図８】
2005287742.tif 000010